(57)【要約】【課題】  仏壇扉を開閉する電動扉開閉装置の制御を、一つの操作ボックスで手動スイッチとリモコンの両用で操作できるようにすること。【解決の手段】  電動扉開閉装置を操作する仏壇より脱着自在な操作ボックス内に、外部から操作できる手動スイッチと、電動扉開閉装置とを繋ぐ回路内に無線リモコン受信装置を併設し、手動スイッチ操作と同時に扉開閉操作が無線送信機側にても行えるようにした。【選択図】図４
0003167623.tif 000002
【実用新案登録請求の範囲】
【請求項１】
仏壇前面の開口部を開閉自在に覆う扉を開閉駆動する電動扉開閉装置を有する仏壇において、この電動扉開閉装置を操作する仏壇、或いは電動扉開閉装置に、接続コネクターを介して取り付けられた脱着可能な操作ボックス内に外部から操作できる手動スイッチと電動扉開閉装置とを繋ぐ回路上に無線リモコン受信装置を配設し、手動スイッチと同様の扉開閉操作が無線送信機側にても行えるようにした、手動無線リモコン両用操作ボックスを取付けたことを特徴とした仏壇。
【請求項２】
請求項１に記載の手動無線リモコン両用操作ボックスを、手動スイッチ機能のみの既設操作ボックスと交換接続することで、手動スイッチ操作に付加して、無線リモコン操作もできるようにしたことを特徴とした仏壇。
【考案の詳細な説明】
【技術分野】
【０００１】  本稿案は、仏壇に係り、特に無線信号によるリモコン操作と、手動スイッチ操作の両用操作に好適な仏壇に関する。
【背景技術】
【０００２】  従来、仏壇扉を開閉する電動扉開閉装置にあって、この開閉操作をする為には、手動スイッチか、或いは赤外線式リモコンで操作するもののいずれかであった。しかし、近年リモコンだけではなく、リモコンが使えないときに手動スイッチにても仏壇扉を開閉できるようにとの要望と共に、すでに販売された仏壇に取り付けられている手動スイッチ式操作ボックスを、手動、リモコン両用操作ボックスに交換できるようにすることで、容易にリモコン仏壇へ変更できるようして欲しいとの要望も多くなっていた。【０００３】  しかし、仏壇に接続する操作ボックスの大きさには、仏壇や経机に埋め込むタイプなどと、受信機を取り付けるには空間的制約や、配線のやり直しなどの問題があった。更に、赤外線式リモコンでは、仏壇外部からの赤外線を受ける感知センサーを設ける必要があり、仏壇表面に赤外線センサーの取り付け穴を設けるなど、手動式操作ボックス方式から赤外線式リモコン仏壇への変更には多くの改造を必要とし、非常に困難であった。
【考案の開示】
【考案が解決しようする課題】
【０００４】  仏壇扉を開閉する電動扉開閉装置を、一つの操作ボックスで手動スイッチとリモコンの両方を自在に選択して操作できるようにすること。さらに、電動扉開閉装置を制御するための、従来の手動スイッチ操作ボックスと同じ形状と大きさのと、同じ接続方法の操作ボックスにすることで、仏壇を改造することなく、簡単な交換作業で前記効果を提供すること。
【課題を解決するための手段】
【０００５】  仏壇前面の開口部を開閉自在に覆う扉を開閉駆動する電動扉開閉装置を有する仏壇において、この電動扉開閉装置を操作する脱着自在な操作ボックス内に、外部から操作できる手動スイッチを、電動扉開閉装置駆動電源の交流１００Ｖの高電圧用大型から、無線リモコン装置駆動に使用する直流１２Ｖの低電圧用小型のものを用いることで広がった空間に、無線リモコン受信装置を当該操作ボックス内の電動扉開閉装置への制御回路に並列に併設することで、手動スイッチと同様の扉開閉操作が無線送信機側にても行えるようにした。
【考案の効果】
【０００６】  本考案により、従来、当該仏壇扉の開閉を行う電動扉開閉装置の制御を、手動スイッチにても、リモコンにても両用で行うことができ、仏壇から離れての開閉操作と、リモコン不使用時の手動操作の選択が自在となった。これにより、リモコン送信機の電池が切れた場合でも、手動スイッチにて仏壇の扉を開閉することができる。
【０００７】  また、請求項２記載の、すでに販売された仏壇の既設操作ボックスを取り外し、代わりに、同じ形状と大きさと、同じ接続方法で作られた当該手動無線リモコン両用操作ボックスを、接続コネクターを介して仏壇に取り付けることで、送信機にても、手動にても、両用で従来と変わらぬ操作方法にて仏壇扉の開閉操作ができる仏壇へと容易に変更することができる。
【考案を実施するための最良の形態】
【０００８】  以下、本発明に係る仏壇Ｐの実施形態を図１と図２と図４により説明する。本実施形態の仏壇Ｐは、図１に示すように、上下に渡した天板９、および底板１０を、二枚の側板８、二枚の外扉６と、二枚の内扉７からなる仏壇の、天板９の上部に、その天板９に設けられた溝を通して内扉７と、電動扉開閉装置１の駆動部分に取り付けられた把手が繋がり、当該扉を電動にて開閉する。図２では、この電動扉開閉装置１を、外側に配設した赤外線式送信機１３と、天板９の上部に配設した別体型赤外線式リモコン受信機１２によりこの電動扉開閉装置１を制御している。図４では、図１と図２に示された異なる操作系による電動扉開閉装置１の制御を、一体化した手動無線リモコン両用操作ボックス２を接続コード４と接続コネクター３により仏壇、或いは電動扉開閉装置１に直接接続し、開閉手動スイッチ２−１と、電源手動スイッチ２−２と、外部に配設した送信機５で当該仏壇Ｐの内扉７を開閉操作することができる。
【実施例】
【０００９】  以下、本考案の実施例を、図１と図３と図４と図５を参照して説明する。
図３は、当該手動無線リモコン両用操作ボックス２の内部にある開閉手動スイッチ２−１と、電源手動スイッチ２−２と、接続コード４からなる回路と並列に無線リモコン受信装置２−３が接続されている。図４は、当該手動無線リモコン両用操作ボックス２を、接続コネクター３を介して仏壇Ｐに取り付けることで、送信機５にても、手動にても、両用で電動扉開閉装置１を操作することができる。【００１０】  図１に示す、すでに販売された従来の手動のみの操作ボックス１１が取り付けられている仏壇から、当該操作ボックス１１を取り外し、図４に示すように、図５で示した手動無線リモコン両用操作ボックス２を取り付けることで、容易にリモコン操作も可能な仏壇Ｐに変更することができる。
【図面の簡単な説明】
【００１１】
【図１】電動扉開閉装置が取り付けられ、外部に手動操作ボックスが取り付けられた状態の仏壇の斜視図である。
【図２】電動扉開閉装置と別体型赤外線式リモコン受信機が取り付けられ、外部に赤外線式送信機が置かれた状態を示す仏壇の斜視図である。
【図３】送信機と手動無線リモコン両用操作ボックスから、仏壇に取り付けられた電動扉開閉装置までの概略的ブロック図である。
【図４】電動扉開閉装置と手動無線リモコン両用操作ボックスが、手動操作ボックスの代わりに取り付けられた状態の仏壇と無線式送信機を示す斜視図である。
【図５】手動無線リモコン両用操作ボックスの外観斜視図である。
【符号の説明】
【００１２】Ｐ・・・・・・仏壇
１・・・・・・電動扉開閉装置
２・・・・・・手動無線リモコン両用操作ボックス
２−１・・・・開閉手動スイッチ
２−２・・・・電源手動スイッチ
２−３・・・・無線リモコン受信装置
３・・・・・・接続コネクター
４・・・・・・接続コード
５・・・・・・無線式送信機
６・・・・・・外扉
７・・・・・・内扉
８・・・・・・側板
９・・・・・・天板
１０・・・・・底板
１１・・・・・手動操作ボックス
１２・・・・・別体型赤外線式リモコン受信機
１３・・・・・赤外線式送信機
１４・・・・・赤外線感知センサー
【図１】
0003167623.tif 000003
【図２】
0003167623.tif 000004
【図３】
0003167623.tif 000005
【図４】
0003167623.tif 000006
【図５】
0003167623.tif 000007